(57)【要約】      （修正有）【課題】ドラム缶掴み装置用の掴み忘れ防止装置を提供する。【解決手段】少なくとも上部リンク２３と、中間リンク２４と、下部リンク２５とで、構成され、上部リンクの一端２３ａを回動可能に軸支すると共に下部リンクの一端２５ａを回動可能に軸支し、上部リンクと下部リンクとに中間リンクを軸着することにより、上部リンクと下部リンクとを連結し形成されたリンク機構２１と、上部リンクに設けられた上爪２３ｂと、中間リンクに設けられ、上爪と対向する下爪２４ａと、を有する掴み装置２に用いられる掴み忘れ防止装置１において、電気的確認手段１０Ａ及び／又は機械式確認手段１０Ｂを、備えるものとし、リンク機構と連動して揺動する揺動部１４によって、電気的確認手段の切替部１３を制御する及び／又は機械式確認手段の機械式報知部１２を回動させるものとする。【選択図】図３
0003234245.tif 000002
【実用新案登録請求の範囲】
【請求項１】
少なくとも上部リンクと、中間リンクと、下部リンクとで、構成され、該上部リンクの一端を回動可能に軸支すると共に該下部リンクの一端を回動可能に軸支し、該上部リンクと該下部リンクとに該中間リンクを軸着することにより、該上部リンクと該下部リンクとを連結し形成されたリンク機構と、該上部リンクに設けられた上爪と、該中間リンクに設けられ、該上爪と対向する下爪と、を有する掴み装置に用いられる掴み忘れ防止装置であって、
電気式確認手段を、備え、
該電気式確認手段は、電気式報知部と、該電気式報知部のオンとオフとを切り替える切替部と、電気式用揺動部と、を有しており、
該電気式用揺動部は、該リンク機構に連結されていると共に該リンク機構と連動して揺動するものとなっており、その揺動によって該切替部を制御することを特徴とする掴み忘れ防止装置。
【請求項２】
少なくとも上部リンクと、中間リンクと、下部リンクとで、構成され、該上部リンクの一端を回動可能に軸支すると共に該下部リンクの一端を回動可能に軸支し、該上部リンクと該下部リンクとに該中間リンクを軸着することにより、該上部リンクと該下部リンクとを連結し形成されたリンク機構と、該上部リンクに設けられた上爪と、該中間リンクに設けられ、該上爪と対向する下爪と、を有する掴み装置に用いられる掴み忘れ防止装置であって、
機械式確認手段を、備え、
該機械式確認手段は、機械式報知部と、機械式用揺動部と、を有しており、
該機械式用揺動部は、該機械式報知部と該リンク機構と間に連結され、該リンク機構と連動して揺動するものであることを特徴とする掴み忘れ防止装置。
【請求項３】
機械式確認手段を、更に備え、
該機械式確認手段は、機械式報知部と、機械式用揺動部と、を有しており
該機械式用揺動部は、該機械式報知部と該リンク機構と間に連結され、該リンク機構と連動して揺動するものであることを特徴とする請求項１に記載の掴み忘れ防止装置。
【請求項４】
前記電気式用揺動部は、前記下部リンクと連結された揺動扞であり、
前記切替部は、スイッチ部であり、
該電気式用揺動部には、その揺動によって、該スイッチ部を操作し、前記電気式報知部のオン及びオフを切り替えるための押進部が設けられていることを特徴とする請求項１又は３に記載の掴み忘れ防止装置。
【請求項５】
前記機械式用揺動部は、一端が前記下部リンクと、他端が前記機械式報知部と、連結された揺動扞であり、
該機械式報知部は、該機械式用揺動部の揺動に連動して回動可能に設けられることを特徴とする請求項２又は３に記載の掴み忘れ防止装置。
【請求項６】
前記電気式用揺動部は、前記機械式用揺動部を兼ねていることを特徴とする請求項３、請求項３を引用する請求項４、又は、請求項３を引用する請求項５に記載の掴み忘れ防止装置。
【請求項７】
前記電気式報知部は、点灯によって報知するものであることを特徴とする請求項１、請求項３、請求項４、請求項３を引用する請求項５、又は、請求項６の何れかに記載の掴み忘れ防止装置。
【請求項８】
前記機械式報知部は、色彩が施され、該色彩によって、報知するものであることを特徴とする請求項２、請求項３、請求項３を引用する請求項４、請求項５、請求項６、又は、請求項３を引用する請求項７に記載の掴み忘れ防止装置。
【請求項９】
請求項１乃至８の何れかに記載された掴み忘れ防止装置と、
少なくとも前記上部リンクと、前記中間リンクと、前記下部リンクとで、構成され、該上部リンクの一端を回動可能に軸支すると共に該下部リンクの一端を回動可能に軸支し、該上部リンクと該下部リンクとに該中間リンクを軸着することにより、該上部リンクと該下部リンクとを連結し形成された前記リンク機構と、
該上部リンクに設けられた前記上爪と、
該中間リンクに設けられ、該上爪と対向する前記下爪と、を有することを特徴とするドラム缶掴み装置。
【考案の詳細な説明】
【技術分野】
【０００１】
本考案は、掴み忘れ防止装置及びそれを備えたドラム缶掴み装置に関する。
【背景技術】
【０００２】
従来、ドラム缶掴み装置がある。ドラム缶掴み装置は、ドラム缶運搬具において、ドラム缶の缶縁を挟掴し、該ドラム缶が落下等をすることを防止するために用いられている（例えば、特許文献１及び２を参照）。ドラム缶運搬具には、フォークリフト等を用いて移動させるものや人力で移動させるものが存在している。
【０００３】
ドラム缶掴み装置は、ドラム缶の缶縁を把持するための上爪と下爪とを備えており、上爪と下爪とがリンク機構によって連動する様になっており、下爪にドラム缶の自重等の外力が掛かると、それと連動して、ドラム缶の缶縁を上爪と下爪が挟掴し、ドラム缶を掴める様になっている。
【先行技術文献】
【特許文献】
【０００４】
【特許文献１】特開２０１４−２１８３５０号公報
【特許文献２】特開２００５−２９３１５号公報
【考案の概要】
【考案が解決しようとする課題】
【０００５】
従来のドラム缶掴み装置は、上爪と下爪によって、ドラム缶の缶縁がきちんと挟掴されているかを確認するための手段がなく、挟掴箇所を直接視認するしかないものであった。特に、フォークリフト等で移動させるドラム缶運搬具に用いられるものの場合、フォークリフト等の運転席から、挟掴箇所を直接視認することは、通常できないため問題となる。
【０００６】
そのため、ドラム缶が挟掴されていない又は挟掴が不完全であるにも関わらずドラム缶を持ち上げてしまい、それによって、ドラム缶が落下をし、ドラム缶が破損してしまう事故に繋がる可能性があるものであった。特に、ドラム缶の内容物が、毒性や腐食性があったり、高価なものであったりすると問題が大きくなる。そこで、本考案は、掴み装置用の掴み防止装置を提供することを目的とする。
【課題を解決するための手段】
【０００７】
本考案は、少なくとも上部リンクと、中間リンクと、下部リンクとで、構成され、該上部リンクの一端を回動可能に軸支すると共に該下部リンクの一端を回動可能に軸支し、該上部リンクと該下部リンクとに該中間リンクを軸着することにより、該上部リンクと該下部リンクとを連結し形成されたリンク機構と、該上部リンクに設けられた上爪と、該中間リンクに設けられ、該上爪と対向する下爪と、を有する掴み装置に用いられる掴み忘れ防止装置であって、電気式確認手段を、備え、該電気式確認手段は、電気式報知部と、該電気式報知部のオンとオフとを切り替える切替部と、電気式用揺動部と、を有しており、該電気式用揺動部は、該リンク機構に連結されていると共に該リンク機構と連動して揺動するものとなっており、その揺動によって該切替部を制御することを特徴とする掴み忘れ防止装置である
【０００８】
又、本考案は、少なくとも上部リンクと、中間リンクと、下部リンクとで、構成され、該上部リンクの一端を回動可能に軸支すると共に該下部リンクの一端を回動可能に軸支し、該上部リンクと該下部リンクとに該中間リンクを軸着することにより、該上部リンクと該下部リンクとを連結し形成されたリンク機構と、該上部リンクに設けられた上爪と、該中間リンクに設けられ、該上爪と対向する下爪と、を有する掴み装置に用いられる掴み忘れ防止装置であって、機械式確認手段を、備え、該機械式確認手段は、機械式報知部と、機械式用揺動部と、を有しており、該機械式用揺動部は、該機械式報知部と該リンク機構と間に連結され、該リンク機構と連動して揺動するものであることを特徴とする掴み忘れ防止装置である。
【０００９】
又、本考案は、前記掴み忘れ防止装置と、少なくとも前記上部リンクと、前記中間リンクと、前記下部リンクとで、構成され、該上部リンクの一端を回動可能に軸支すると共に該下部リンクの一端を回動可能に軸支し、該上部リンクと該下部リンクとに該中間リンクを軸着することにより、該上部リンクと該下部リンクとを連結し形成された前記リンク機構と、該上部リンクに設けられた前記上爪と、該中間リンクに設けられ、該上爪と対向する前記下爪と、を有することを特徴とするドラム缶掴み装置である。
【００１０】
尚、本考案は、機械式確認手段を、更に備えるものとし、該機械式確認手段を、機械式報知部と、機械式用揺動部と、を有し、該機械式用揺動部が、該機械式報知部と該リンク機構と間に連結され、該リンク機構と連動して揺動するものとすることが可能である。又、本考案は、前記電気式用揺動部を、前記下部リンクと連結した揺動扞とし、前記切替部を、スイッチ部とし、該電気式用揺動部に、その揺動によって、該スイッチ部を操作し、前記電気式報知部のオン及びオフを切り替えるための押進部を設けることが可能である。
【００１１】
そして、本考案は、前記機械式用揺動部を、一端を前記下部リンクと、他端を前記機械式報知部と、連結した揺動扞とし、該機械式報知部を、該機械式用揺動部の揺動に連動して回動可能に設けることが可能である。又、本考案は、前記電気式用揺動部を、前記機械式用揺動部を兼ねるものとすることが可能である。又、本考案は、前記電気式報知部を、点灯によって報知するものとすることが可能である。又、本考案は、前記機械式報知部に、色彩を施し、該色彩によって、報知するものとすることが可能である。
【考案の効果】
【００１２】
本考案の一の態様によれば、電気式確認手段を設け、該電気式確認手段の切替部を、掴み装置のリンク機構と連動して揺動する電気式用揺動部によって制御するものとしたので、該掴み装置が対象物を挟掴していることを該電気式確認手段の電気式報知部で確認することができ、該対象物の掴み忘れを防止することが可能である。
【００１３】
又、本考案の別の態様によれば、機械式確認手段を設け、該機械式確認手段の機械式報知部と掴み装置のリンク機構との間に、該リンク機構と連動して揺動する機械式用揺動部を設けたため、該掴み装置が対象物を挟掴していることを該機械式確認手段で確認することができ、該対象物の掴み忘れを防止することが可能である。
【図面の簡単な説明】
【００１４】
【図１】本考案の実施形態を示す図であり、ドラム缶運搬具の平面図である。
【図２】本考案の実施形態を示す図であり、ドラム缶運搬具の右側面図である。
【図３】本考案の実施形態の要部拡大図であり、（ａ）が挟掴前の様子を（ｂ）が挟掴後の様子を、示す図である。
【考案を実施するための形態】
【００１５】
本考案の実施形態を、ドラム缶掴み装置に用いられる掴み忘れ装置を例として、図１乃至図３に基づき説明する。先ず、本実施形態の掴み忘れ装置１が取り付けられるドラム缶掴み装置２（以下、掴み装置２と略記する）及び掴み装置２が設けられたドラム缶運搬具３について説明する。
【００１６】
ドラム缶運搬具３は、フォークリフトのフォークが嵌入可能に設けられた鞘部３０ａを有する基台３０と、基台３０に立設された取付枠３１を有しており、基台３０には、ドラム缶を取付枠３１の中心へと誘導する下部受部３０ｂが設けられている。
【００１７】
掴み装置２は、取付枠３１に設けられ、枠体２０と、リンク機構２１と、を有している。枠体２０は、取付扞３２，３３によって取付枠３１に支持されており、下端部側に延在部２２が設けられている。又、リンク機構２１は、少なくとも上部リンク２３と、中間リンク２４と、下部リンク２５と、によって構成されている。
【００１８】
上部リンク２３は、その一端２３ａが、軸Ｘ１によって枠体２０に回動可能に軸支されており、他端に上爪２３ｂを有している。又、上部リンク２３には、端２３ａと上爪２３ｂとの間に軸Ｘ２が設けられている。
【００１９】
下部リンク２５は、その一端２５ａが、軸Ｘ３によって枠体２０に回動可能に軸支されており、他端が、回動軸部４を介して後述する掴み忘れ防止装置１の揺動扞１４の一端と回動可能に連結されている。又、一端２５ａと該他端との間には、軸Ｘ４が設けられている。本実施形態において、下部リンク２５は、略フ字状に形成されており、水平部２５ｂと水平部２５ｂと連続する屈曲部２５ｃを有しており、一端２５ａは、水平部２５ｂ側に位置しており、該他端が屈曲部２５ｃ側に位置している。又、軸Ｘ４は水平部２５ｂと屈曲部２５ｃとが連続する角部に設けられている。
【００２０】
中間リンク２４には、下爪２４ａと突上扞２４ｂが設けられており、上部リンク２３の軸Ｘ２及び下部リンク２５の軸Ｘ４に軸着されることによって、上部リンク２３と下部リンク２５とを連結している。
【００２１】
取付枠３１と枠体２０との間には、弾性部材の一例であるバネ２６が設けられている。バネ２６は、常時、枠体２０を上方に吊り上げる方向に付勢している。本実施形態においては、バネ２６は、コイルバネが採用されている。
【００２２】
回動軸部４は、バネ２７の一端を固定するバネ止め部の役割も担うと共に後述する掴み忘れ防止装置１の揺動扞１４の一端と下部リンク２５の前記他端とを回動可能に連結している。
【００２３】
バネ２７は、一端が回動軸部４に固定され、他端が、枠体２０に設けられたバネ止め部２８に固定されている。バネ２７は、図３（ａ）の状態では、上爪２３ｂと下爪２４ａとが離間する方向にリンク機構２１を付勢することになり、開状態が保持されることになる。本実施形態においては、バネ２７として、コイルバネが採用されている。
【００２４】
次に、掴み忘れ防止装置１について説明する。掴み忘れ防止装置１は、上爪２３ｂと下爪２４ａが挟掴したことを確認するための確認手段の一例である電気式確認手段１０Ａと機械式確認手段１０Ｂとを備えている。電気的確認手段１０は、電気式報知部１１と、切替部と、電気式用揺動部と、を有している。又、機械的確認手段１１は、機械的報知部１２と、機械式用揺動部と、を有している。
【００２５】
電気式報知部１１は、報知手段の一例である、点灯部１１ａと、点灯部１１ａがその蓋部に取り付けられた筐体部１１ｂとを有しており、筐体部１１ｂ内には、電池等の電源供給手段（図示せず）等が収容されている。本実施形態においては、点灯部１１ａは、電気式報知部１１の背面側に設けられており、フォークリフトの運転席より視認することが可能となっている。
【００２６】
前記切替部は、電気式報知部１１のオンとオフと切り替えるために設けられており、本実施形態においては、スイッチ部１３として設けられている。スイッチ部１３は、２つのセンサ部１３ａ，１３ｂを有している。センサ部１３ａ，１３ｂは、一方がオン側センサ部１３ａと、他方がオフ側センサ部１３ｂとなっており、後述する押進手段１４ａにより、オン側センサ部１３ａが押された際には、点灯部１１ａを点灯させ、後述する押進手段１４ｂによってオフ側センサ部１３ｂが押された際には、点灯部１１ａを消灯する様になっている。
【００２７】
前記電気式用揺動部は、その揺動によって、前記切替え部（本実施形態においては、スイッチ部１３）を制御するために設けられており、リンク機構２１と連結されていると共にリンク機構２１と連動して揺動する様に構成されている。本実施形態においては、該電気式用揺動部は、揺動扞１４となっており、一端が回動軸部４を介して下部リンク２５と連結されている。揺動扞１４には、２つの押進部１４ａ，１４ｂが設けられており、２つのセンサ部１３ａ，１３ｂのオンとオフを切り替えるために設けられている（以下、便宜的にセンサ部１３ａ，１３ｂと対応させ、押進部１４ａをオン側押進部１４ａと、押進部１４ｂをオフ側押進部１４ｂと表記する）。
【００２８】
機械式報知部１２は、前記機械式用揺動部の一端に回動可能に設けられている。本実施形態においては、機械式報知部１２は、色彩、例えば、赤色、が施されている。前記機械式用揺動部は、機械式報知部１２とリンク機構２１との間に設けられ、リンク機構２１と連動して揺動するものとなっている。
【００２９】
本実施形態においては、揺動扞１４が前記電気式揺動部と前記機械式用揺動部との役割を兼ねており、揺動扞１４には、回動軸部４とは逆側の端１４ｃに２つの軸Ｘ５，Ｘ６によって、揺動扞１４及び機械式報知部１２の各々と回動可能に連結された連結扞１５を介して、機械式報知部１２が取り付けられており、機械式報知部１２は、揺動扞１４の揺動と連動して回動する様になっている。又、軸Ｘ６は、延在部２２に設けられたおり、機械式報知部１２は、延在部２２に回動可能に軸支されていることになる。
【００３０】
次に、本実施形態の作動について説明する。フォークリフトのフォークを鞘部３０ａに嵌入して基台３０を持ち上げ、上爪２３ｂと下爪２４ａの開口部の高さにドラム缶（図示せず）の缶縁（耳ともいう）の高さと略同じにし、該フォークリフトを動かし、該ドラム缶に向かって進行し、ドラム缶の外周と下爪２４ａとを接触させる。
【００３１】
この状態においては、バネ２７は、軸Ｘ４よりも内側、即ち、中間リンク２４側に位置しているので、下部リンク２５は、引き上げる方向に弾性力を受け、下部リンク２５と連動する上部リンク２３及び中間リンク２４は上向きの力を受けるので、上爪２３ｂが下爪２４ａから離間する方向、即ち、開方向の力で付勢されていることになる。
【００３２】
その後、前記フォークを上昇させることにより、取付枠３１を上昇させるとドラム缶の缶縁に下爪２４ａが当たり、下爪２４ａの該ドラム缶の荷重を受け始める。それによって、下爪２４ａと共に中間リンク２４が降下し始め、それと連動して、上部リンク２３が上爪２３ｂと共に下降し始め、それによって、上爪２３ｂと下爪２４ａが該ドラム缶の缶縁を掴み始める。
【００３３】
それと同時に、中間リンク２４の降下によって、下部リンク２５が押し下げられることで、回動軸部４は、軸Ｘ４の略真下へと変位し、それに伴って、バネ２７は、軸Ｘ４よりも外側、即ち、中間リンク２４とは反対側に位置することになる。それによって、上部リンク２３には、下爪２４ａに向かって回転する力が付与され、上爪２３ｂには、バネ２７によって、閉方向へと付勢されることとなる。
【００３４】
この状態においては、バネ２７の力は、下部リンク２５を下方へと引き下げる力に切り換わって、上爪２３ｂと下爪２４ａとによる前記ドラム缶の缶縁の挟掴を維持することとなる。
【００３５】
この際、中間リンク２４の降下によって、下部リンク２５が押し下げられることに伴って、掴み忘れ防止装置１の揺動扞１４は、奥側へと揺動し、スイッチ部１３のオフ側センサ部１３ｂがオフ側押進部１４ｂによって押された状態から、オン側センサ３３がオン側押進部１４ａで押された状態へと切り替わる。それによって、電気式報知部１１はオフの状態からオンの状態へと切替り、点灯部１１ａが点灯する。そして、上爪２３ｂと下爪２４ａとによって前記ドラム缶の缶縁の挟掴されていることを確認することが可能となる。
【００３６】
それと、略同時に、揺動扞１４の奥側への揺動によって、機械式報知部１２が、軸Ｘ６を中心として回動し、略水平の状態から略垂直の状態へと変位する。この変位を確認することによっても上爪２３ｂと下爪２４ａとによって前記ドラム缶の缶縁の挟掴されていることを確認することが可能である。
【００３７】
この際、本実施形態においては、点灯部１１ａ及び機械式報知部１２がフォークリフトの運転席から視認可能な位置に位置する様に掴み忘れ防止装置１は構成されている。それによって、該運転席からも、上爪２３ｂと下爪２４ａによる前記ドラム缶の缶縁が挟掴されているのを確認することが可能となっている。又、この際、機械式報知部１２に色彩が施されていることが、視認という観点から好ましい。
【００３８】
その後、前記フォークリフトによって、前記ドラム缶を所定位置まで搬送した後、取付枠３１を降下させ、該ドラム缶を着地させ、着地後に更に取付枠３１を降下させると、上爪２３ｂ又は突上扞２４ｂが該ドラム缶の缶縁の上縁部に当たり、上部リンク２３が上がる。それによって、下部リンク２５も押し上げられ、バネ２７が再度、軸Ｘ４の内側へと変位し、上爪２３ｂ及び下爪２４ａとの挟掴が解除される。
【００３９】
この際、下部リンク２５に連結された揺動扞１４は、下部リンク２５が押し上げられることにより、手前側に揺動し、その揺動によって、オン側押進部１４ａによってオン側センサ部１３ａが押された状態が解除され、再度、オフ側押進部１４ｂによってオフ側センサ部１３ｂが押された状態となり、点灯部１１ａが消灯する。又、機械式報知部１２も回動し、略垂直の状態から略水平の状態へと変位し、上爪２３ｂ及び下爪２４ａによる挟掴が解除したことがフォークリフトの運転席からも確認することが可能となっている。
【００４０】
従って、本実施形態の掴み忘れ防止装置１においては、リンク機構２１と連動して、揺動扞１４が揺動することにより、電気式報知部１１の点灯部１１ａの点灯及び／又は機械式報知部１２の回動するものとなっているためフォークリフトの運転席からも上爪２３ｂと下爪２４ａによる前記ドラム缶の缶縁が挟掴されているのを確認することが可能となっていることとなる。
【００４１】
本考案を上記実施形態に基づき説明したが、本考案は、上記実施形態に限定されるものではなく、発明の要旨を変更しない範囲で適宜変更可能である。
【００４２】
（１）上記実施形態においては、電気式報知部１１及び機械式報知部１２の両方を設けたが、電気式報知部１１及び機械式報知部１２の一方のみを設ける様にすることも可能である。
【００４３】
（２）上記実施形態においては、機械式報知部１２を直接視認することにより、上爪２３ｂと下爪２４ａによる前記ドラム缶の缶縁が挟掴を確認するものとしたが、光センサ等のセンサ類を設け、機械式報知部１２の回動を、直接視認することなく確認できる様にしてもよい。この際、電気式報知部１１の点灯部１１ａと同様の点灯部を設け、該点灯部の点灯を、該センサ類によって、オンとオフを切り替える様にすることも可能である。
【００４４】
（３）上記実施形態においては、スイッチ部１３によって、電気式報知部１１のオンとオフを切り替えるものとしたが、別のセンサ手段によって、切り替えるものとすることも可能である。例えば、揺動扞１４の穴を設け、光センサによって、該穴の通過を検知するとことによって、電気式報知部１１のオンとオフを切り替えるものとしてもよい。
【００４５】
（４）上記実施形態において、スイッチ部１３は、２つのセンサ部１３ａ，１３ｂを有するものとしたが、センサ部の数は、適宜選択可能であり、１つのセンサ部とをもよいし、３以上のセンサ部を設けてもよい。
【００４６】
（５）上記実施形態は、フォークリフト等で移動させるドラム缶運搬具３に設けられたドラム缶掴み装置２に用いられる掴み忘れ防止装置１を例として説明したが、他のドラム缶運搬具（図示せず）に設けられたドラム缶掴み装置（図示せず）に本考案を適用することが可能である。例えば、本考案を、人力や車両で牽引されて移動するドラム缶運搬車（例えば、特開２００８−１１０６４２号公報及び特開２００７−１３１１１８号公報を参照）等に適用することも可能であり、この場合は、フォークリフトの替わりに油圧ジャッキ等を用いて、直接的又は間接的に掴み装置を上昇させることが可能である。又、ドラム缶以外のものを挟掴する掴み装置に本考案を適用することも可能である。
【００４７】
（６）上記実施形態においては、ドラム缶掴み装置２は、枠体２０を取付扞３２，３３で固定されたのであったが、枠体２０を取付扞３２，３３の替わりに揺動扞（図示せず）で取付枠３１に取り付け、枠体２０を遊動枠として設けられているドラム缶掴み装置（例えば、特開２０１１−１７３６８２号公報を参照）にも本考案を適用することが可能である。
【００４８】
（７）上記実施形態においては、揺動扞１４に押進部１４ａ，１４ｂを設けてスイッチ部１３のオンとオフを制御したが、例えば、押進部を揺動扞１４の末端に設けると共にセンサ部を該押進部と対向する位置に設け、押進部によって該センサ部が押されている間、点灯部１１ａを点灯させ、挟掴を確認できる様にしてもよい。
【００４９】
（８）上記実施形態においては、点灯部１１ａの点灯・消灯によって、挟掴を確認したが、オフ側センサ部１３ｂがオフ側押進部１４ｂで押された際とオン側センサ部１３ａがオン側押進部１４ａで押された際とで点灯部１１ａを異なる色で点灯させて挟掴を確認できる様にしてもよい。
【００５０】
（９）上記実施形態においては、揺動扞１４が、前記電気式用揺動部及び前記機械式世用揺動部を兼ねるものとしたが、該電気式用揺動部と該機械式用揺動部を別々に設ける様にしてもよい。
【符号の説明】
【００５１】
１      掴み忘れ装置        １０Ａ  電気的確認手段      １０Ｂ  機械式確認手段  
１１    電気式報知部        １１ａ  点灯部              １１ｂ  筐体部          
１２    機械的報知部        １３    スイッチ部          １３ａ  オン側センサ部  
１３ｂ  オフ側センサ部      １４    揺動扞              １４ａ  オン側押進部    
１４ｂ  オフ側押進部        １４ｃ  端                  １５    連結扞          
２      ドラム缶掴み装置    ２０    枠体                ２１    リンク機構      
２２    延在部              ２３    上部リンク          ２３ａ  端              
２３ｂ  上爪                ２４    中間リンク          ２４ａ  下爪            
２４ｂ  突上扞              ２５    下部リンク          ２５ａ  端              
２５ｂ  水平部              ２５ｃ  屈曲部              ２６    バネ            
２７    バネ                ２８    バネ止め部          ３      ドラム缶運搬具  
３０    基台                ３０ａ  鞘部                ３０ｂ  下部受部        
３１    取付枠              ３２    取付扞              ３３    取付扞          
４      回動軸部            Ｘ      軸                                          
【図１】
0003234245.tif 000003
【図２】
0003234245.tif 000004
【図３】
0003234245.tif 000005